(57)【要約】【課題】本発明は、ばねのフック部をばね掛け部材の溝部に確実に掛けることができるばね掛け部材及びレンズ枠並びにレンズ装置を提供する。【解決手段】本発明のばね掛け部材５６は、溝部５８が形成されている側の端面７６のうち、溝部５８の上側の端面７６Ａが、溝部５８に向いたテーパ状に形成されるとともに、溝部５８の下側の端面７６Ｂが円弧状に形成されている。このばね掛け部材５６によれば、ばね６６のフック部６８をばね掛け部材５６の端面７６Ａ又は端面７６Ｂに誤って掛けた場合、その端面７６Ａ、又は端面７６Ｂは溝部５８に向いたテーパ状又は円弧状に形成されているため、フック部６８は、そのテーパ面又は円弧面に沿って滑動して溝部５８に掛かる。これにより、実施の形態のばね掛け部材５６によれば、ばね６６のフック部６８をばね掛け部材５６の溝部５８に確実に掛けることができる。【選択図】  図７
2010072545.tif 000002
【特許請求の範囲】
【請求項１】
ばねのフック部が掛けられる溝部が形成された板状のばね掛け部材において、
前記ばね掛け部材の前記溝部が形成されている側の端面が、溝部に向いたテーパ状又は円弧状に形成されていることを特徴とするばね掛け部材。
【請求項２】
請求項１に記載のばね掛け部材が取り付けられたことを特徴とするレンズ枠。
【請求項３】
請求項２に記載のレンズ枠が取り付けられたことを特徴とするレンズ装置。
【発明の詳細な説明】
【技術分野】
【０００１】
本発明はばね掛け部材及びレンズ枠並びにレンズ装置に係り、特にばね掛け部材及びレンズ枠並びにレンズ装置に関する。
【背景技術】
【０００２】
移動するレンズ枠をベース部材に支持させる構造として、特許文献１の如くばねを使用した支持構造が知られている。このばねは、レンズ枠に形成されたばね掛け部材とベース部材に形成されたばね掛け部材との間に掛け渡されている。
【０００３】
ここで、ばね掛け部材の構造について説明する。
【０００４】
図１０に示すようにばね掛け部材１は、ばね２のＵ字形状のフック部３を掛ける溝部４が形成されている。この溝部４は、ばね掛け部材１の一方側（図１０中左側）の端面５から直交方向に切欠きを入れることにより形成されている。したがって、この溝部４にばね２のフック部３を掛けることにより、特許文献１では不図示のレンズ枠とベース部材とがばね２を介して連結される。
【特許文献１】特開２００５−２４９８１０号公報（段落〔００２１〕、図１）
【発明の開示】
【発明が解決しようとする課題】
【０００５】
しかしながら、特許文献１のばね掛け部材１では、レンズ枠とベース部材との連結時に、ばね２のフック部３を、ばね掛け部材１の端面５に誤って掛けた場合、ばね２のフック部３がその位置で、すなわち、溝部４から乗り上げた位置で掛かるため、レンズ枠とベース部材とを誤って連結してしまうという問題があった。
【０００６】
レンズ枠とベース部材とを、ばねを使用して連結する作業は、レンズ装置そのものが小型化している現在、非常に細かい作業となり、上記のような誤作業が発生する場合があった。
【０００７】
本発明はこのような事情に鑑みてなされたもので、ばねのフック部をばね掛け部材の溝部に確実に掛けることができるばね掛け部材及びレンズ枠並びにレンズ装置を提供することを目的とする。
【課題を解決するための手段】
【０００８】
本発明は、前記目的を達成するために、ばねのフック部が掛けられる溝部が形成された板状のばね掛け部材において、前記ばね掛け部材の前記溝部が形成されている側の端面が、溝部に向いたテーパ状又は円弧状に形成されていることを特徴とするばね掛け部材を提供する。
【０００９】
本発明のばね掛け部材によれば、ばねのフック部をばね掛け部材の端面に誤って掛けた場合、その端面は溝部に向いたテーパ状又は円弧状に形成されているため、フック部は、そのテーパ面又は円弧面に沿って滑動して溝部に掛かる。これにより、本発明のばね掛け部材によれば、ばねのフック部をばね掛け部材の溝部に確実に掛けることができる。
【００１０】
本発明では、溝部を形成するスリットの両側に位置する端面をテーパ状又は円弧状に形成することが好ましく、その一方側の端面でもよい。また、両側に位置する二つの端面の双方をテーパ状、又は円弧状に形成してもよく、一方の端面をテーパ状に、他方の端面を円弧状に形成してもよい。
【００１１】
本発明は、前記目的を達成するために、請求項１に記載のばね掛け部材が取り付けられたことを特徴とするレンズ枠を提供する。
【００１２】
本発明のレンズ枠によれば、請求項１に記載のばね掛け部材が取り付けられているため、レンズ枠と他の部品とをばねを使用して連結する際に発生する従来の誤作業を防止することができる。
【００１３】
本発明は、前記目的を達成するために、請求項２に記載のレンズ枠が取り付けられたことを特徴とするレンズ装置を提供する。
【００１４】
本発明のレンズ装置によれば、レンズ枠と他の部品とは、ばねによって確実に連結されているため、レンズ装置の誤作動等を防止することができる。
【発明の効果】
【００１５】
本発明に係るばね掛け部材によれば、ばね掛け部材の溝部が形成されている側の端面が、溝部に向いたテーパ状又は円弧状に形成されているので、ばねのフック部をばね掛け部材の溝部に確実に掛けることができる。
【００１６】
また、本発明に係るレンズ枠によれば、レンズ枠と他の部品とをばねを使用して連結する際に発生する従来の誤作業を防止することができる。
【００１７】
更に、本発明に係るレンズ装置によれば、ばねの誤った取り付けに起因して発生するレンズ装置の誤作動等を防止することができる。
【発明を実施するための最良の形態】
【００１８】
以下添付図面に従って、本発明に係るばね掛け部材及びレンズ枠並びにレンズ装置の好ましい実施の形態について詳説する。
【００１９】
図１には、実施の形態に係る、ばね掛け部材を有するレンズ枠が取り付けられたレンズ装置１０の側断面図が示されている。このレンズ装置１０は、撮影光軸前方側（被写体側）から撮影光軸後方（撮像側）に向って第１レンズ群１２、第２レンズ群１４、第３レンズ群１６、及び第４レンズ群１８が配置されており、これらの第１〜第４レンズ群１２〜１８を通過した被写体光は、色分解光学系を構成する色分解プリズム２０を介して色分解プリズム２０のＲ、Ｇ、Ｂの各出射端に設けられた撮像素子２２、２４、２６に結像される。なお、このレンズ装置１０が装備されるカメラ本体（不図示）には、撮像素子２２、２４、２６から得られた撮像信号に所要の処理（ホワイトバランス、γ補正等）を施して所定形式の映像信号を生成する信号処理回路（不図示）等が搭載されている。
【００２０】
第１レンズ群１２はいわゆる固定の前玉レンズであり、第２レンズ群１４は焦点距離を変更するバリエータレンズである。また、第３レンズ群１６は固定のリレーレンズであり、第４レンズ群１８は焦点を調整するフォーカスレンズである。これらの第１〜第４レンズ群１２〜１８は、レンズ鏡胴本体１１内に保持されている。
【００２１】
レンズ鏡胴本体１１内には、図２に示すように光軸Ａｘと平行な一対のガイドバー２８、３０が挿通配置されている。ガイドバー２８は、その前端部２８Ａがレンズ鏡胴本体１１の前面に形成されたフランジ部１１Ａに固定され、その後端部２８Ｂがレンズ鏡胴本体１１の後面に形成されたフランジ部１１Ｂに固定されている。また、ガイドバー３０も同様に、その前端部３０Ａがフランジ部１１Ａに固定され、その後端部３０Ｂがフランジ部１１Ｂに固定されている。これらのガイドバー２８、３０に第２レンズ群１４のレンズ移動枠（実施の形態のレンズ移動枠）３２、及び第４レンズ群１８のレンズ移動枠（実施の形態のレンズ移動枠）３４がそれぞれ摺動自在に支持される。
【００２２】
一方、リレーレンズである第３レンズ群１６は、レンズ鏡胴本体１１に固定されている。すなわち、第３レンズ群１６はレンズ保持枠３５に保持され、このレンズ保持枠３５がレンズ鏡胴本体１１に嵌合されて固定されている。
【００２３】
図３には、ガイドバー２８、３０に沿って撮影光軸Ａｘ方向に移動自在に支持された第４レンズ群（ここでは便宜上、フォーカスレンズと称する）１８を保持するレンズ移動枠（レンズ枠）３４が示されている。このレンズ移動枠３４は、遮光性を有する黒色の樹脂材料からなる樹脂成型品であり、射出成型等によって製作されている。なお、図２に示したレンズ移動枠（レンズ枠）３２の構成は、レンズ移動枠３４の構成と略同一なので、ここではレンズ移動枠３４について説明し、レンズ移動枠３２については同一の符号を付してその説明は省略する。
【００２４】
図３に示すようにレンズ移動枠３４は、レンズ１８を保持するリング状の保持部３６、ガイドバー３０に係合するホルダ部３８、及びガイドバー２８に係合する突出部４０が一体に形成されている。この突出部４０には溝４２が形成され、この溝４２内にガイドバー２８が挿通されている。
【００２５】
レンズ移動枠３４のホルダ部３８は、撮影光軸Ａｘ方向に沿った平面視矩形の空隙部４４を有し、その前端部にはガイド孔４６が形成され、その後端部にもガイド孔４８が形成されている。これらのガイド孔４６、４８にガイドバー３０が挿入されるため、これらのガイド孔４６、４８の中心軸は合致するように、また、合致した中心軸は撮影光軸Ａｘと平行になるように形成されている。
【００２６】
そして、ホルダ部３８は図４に示すように、ガイド孔４６、４８が形成された壁部５０（ガイド孔４８の壁部は不図示）に近接してガイドバー３０が挿通される隔壁５２が設けられ、この隔壁５２と壁部５０との間に、グリスが充填されて溜められるグリス溜め部５４が形成されている。このグリス溜め部５４に溜められたグリスを潤滑剤としてレンズ移動枠３４がガイドバー３０に沿って円滑に移動する。
【００２７】
次に、レンズ移動枠３４の移動機構について説明する。なお、レンズ移動枠３２の移動機構もレンズ移動枠３４の移動機構と同一なので、ここではレンズ移動枠３４の移動機構を説明し、レンズ移動枠３４の移動機構の説明は省略する。
【００２８】
レンズ移動枠３４には、図５に示すように、そのホルダ部３８の側面にばね掛け部材５６がホルダ部３８と一体に形成されている。ばね掛け部材５６には溝部５８が形成され、また、図６に示す移動コマ６０のばね掛け部材６２にも同様の溝部６４が形成されている。
【００２９】
レンズ移動枠３４と移動コマ６０とは、ばね６６を介して連結される。すなわち、レンズ移動枠３４のばね掛け部材５６の溝部５８に、ばね６６の一方のフック部６８が掛けられ、ばね６６の他方のフック部７０が移動コマ６０のばね掛け部材６２の溝部６４に掛けられる。これにより、レンズ移動枠３４と移動コマ６０とがばねを介して連結されている。
【００３０】
移動コマ６０には、光軸Ａｘ方向と平行なねじ棒７２が螺合されており、このねじ棒７２の端部にフォーカス用ステッピングモータ７４の出力軸が連結されている。したがって、フォーカス用ステッピングモータ７４のフォーカスドライバ回路（不図示）にカメラ本体側からフォーカス信号が出力されると、フォーカス用ステッピングモータ７４はその信号に対応した方向にねじ棒７２を回転駆動する。これによって、レンズ移動枠３４とともにフォーカスレンズ１８がガイドバー２８、３０に沿って光軸Ａｘ方向に前後移動され、焦点が合わされる。以上がレンズ移動枠３４の移動機構である。
【００３１】
次に、実施の形態のばね掛け部材５６の形状について説明する。ばね掛け部材６２の形状は、ばね掛け部材５６の形状と略同一なので、ここでは説明を省略する。
【００３２】
ばね掛け部材５６は、図７に示すように溝部５８が形成されている側の端面７６のうち、溝部５８の上側の端面７６Ａが、溝部５８に向いたテーパ状に形成されるとともに、溝部５８の下側の端面７６Ｂが円弧状に形成されている。
【００３３】
かかる形状のばね掛け部材５６によれば、ばね６６のフック部６８をばね掛け部材５６の端面７６Ａ又は端面７６Ｂに誤って掛けた場合、その端面７６Ａ又は端面７６Ｂは溝部５８に向いたテーパ状又は円弧状に形成されているため、フック部６８は、そのテーパ面又は円弧面に沿って滑動して溝部５８に掛かる。
【００３４】
これにより、実施の形態のばね掛け部材５６によれば、ばね６６のフック部６８をばね掛け部材５６の溝部５８に確実に掛けることができる。
【００３５】
なお、実施の形態のばね掛け部材５６では、溝部５８の上側の端面７６Ａをテーパ状に形成し、溝部５８の下側の端面７６Ｂを円弧状に形成したが、これに限定されるものではない。例えば、図８に示すように、双方の端面７６Ａ、７６Ｂを円弧状に形成したり、また、図９に示すように双方の端面７６Ａ、７６Ｂをテーパ状に形成したりしてもよく、端面７６Ａを円弧状に形成し、端面７６Ｂをテーパ状に形成してもよい。
【００３６】
また、このようなばね掛け部材５６を有するレンズ移動枠３４によれば、レンズ移動枠３４と移動コマ６０とをばね６６を使用して連結する際に発生する従来の誤作業を防止することができる。
【００３７】
更に、このようなレンズ移動枠３４を有するレンズ装置１０によれば、ばね６６の誤った取り付けに起因して発生するレンズ装置１０の誤作動等を防止することができる。
【図面の簡単な説明】
【００３８】
【図１】実施の形態のばね掛け部材が取り付けられたレンズ移動枠を有するレンズ装置の断面図
【図２】図１に示したレンズ装置の構成を示した断面図
【図３】実施の形態のレンズ移動枠を示した斜視図
【図４】図３に示したレンズ移動枠の要部構成を示した拡大斜視図
【図５】図３に示したレンズ移動枠の側面図
【図６】図３に示したレンズ移動枠と移動コマとがばねを介して連結された側面図
【図７】図５のレンズ移動枠に形成されたばね掛け部材の要部拡大図
【図８】ばね掛け部材の他の実施の形態を示した要部拡大図
【図９】ばね掛け部材の他の実施の形態を示した要部拡大図
【図１０】従来のばね掛け部材の形状を示した説明図
【符号の説明】
【００３９】
１０…レンズ装置、１１…レンズ鏡胴本体、１２…第１レンズ群、１４…第２レンズ群、１６…第３レンズ群、１８…第４レンズ群、２０…色分解プリズム、２２、２４、２６…撮像素子、２８、３０…ガイドバー、３２…レンズ移動枠、３４…レンズ移動枠、３５…レンズ保持枠、３６…保持部、３８…ホルダ部、４０…突出部、４２…溝、４４…空隙部、４６…ガイド孔、４８…ガイド孔、５０…壁部、５２…隔壁、５４…グリス溜め部、５６…ばね掛け部材、５８…溝部、６０…移動コマ、６２…ばね掛け部材、６４…溝部、６６…ばね、６８…フック部、７０…フック部、７２…ねじ棒、７４…フォーカス用ステッピングモータ、７６…端面、７６Ａ…溝部の上側の端面、７６Ｂ…溝部の下側の端面
【図１】
2010072545.tif 000003
【図２】
2010072545.tif 000004
【図３】
2010072545.tif 000005
【図４】
2010072545.tif 000006
【図５】
2010072545.tif 000007
【図６】
2010072545.tif 000008
【図７】
2010072545.tif 000009
【図８】
2010072545.tif 000010
【図９】
2010072545.tif 000011
【図１０】
2010072545.tif 000012